(57)【要約】【課題】プレストーク信号により受信状態と送信状態とが相互に切り替わる時点をトリガに電気特性の変動を確認することができる測定装置を提供する。【解決手段】測定装置１０は、直流の電源電圧をＤＵＴ１に供給する電源電圧出力部２３と、プレストーク信号をＤＵＴ１に出力するＰＴＴ信号出力部２４と、ＤＵＴ１からＡＦ信号の成分を含む無線周波数信号を入力し、この無線周波数信号に基づいて無線機の所定の電気特性を測定する電気特性測定部２２と、プレストーク信号により受信状態と送信状態とが切り替わる時点をトリガに電源電圧及び所定の電気特性の時間的変動を示すデータを表示する表示部２７と、を備える。【選択図】図１
2016058910.tif 000002
【特許請求の範囲】
【請求項１】
プレストーク信号により受信状態と送信状態とが相互に切り替わる無線機（１）の電気特性を測定する測定装置（１０）であって、
直流の電源電圧を前記無線機に供給する電源電圧供給手段（２３）と、
前記プレストーク信号を前記無線機に出力するプレストーク信号出力手段（２４）と、
前記無線機から音声周波数信号の成分を含む無線周波数信号を入力し、この無線周波数信号に基づいて前記無線機の所定の電気特性を測定する電気特性測定手段（２２）と、
前記プレストーク信号により前記受信状態と前記送信状態とが切り替わる時点をトリガに前記電源電圧及び前記所定の電気特性の時間的変動を示すデータを表示する表示手段（２７）と、
を備えたことを特徴とする測定装置。
【請求項２】
前記電気特性測定手段は、前記所定の電気特性として、前記無線周波数信号の電力特性及び周波数特性、前記音声周波数信号の信号レベル特性、信号対雑音比及び周波数偏移特性のうちの少なくともいずれか１つを測定するものであることを特徴とする請求項１に記載の測定装置。
【請求項３】
前記電源電圧供給手段は、前記電源電圧を所定のステップで変化させて前記無線機に供給するものであり、
前記電気特性測定手段は、前記電源電圧の所定のステップごとに前記無線機の所定の電気特性を測定するものであることを特徴とする請求項１又は請求項２に記載の測定装置。
【請求項４】
前記表示手段は、前記電源電圧及び前記所定の電気特性の時間的変動を示すデータに加えて、前記所定の電気特性に関して予め定められたしきい値の範囲を表示するものであることを特徴とする請求項１から請求項３までのいずれか１項に記載の測定装置。
【請求項５】
複数の無線機に対する前記所定の電気特性の統計情報を求める統計処理手段（２６）をさらに備え、
前記表示手段は、前記統計情報を表示するものであることを特徴とする請求項１から請求項４までのいずれか１項に記載の測定装置。
【請求項６】
プレストーク信号により受信状態と送信状態とが相互に切り替わる無線機（１）の電気特性を測定する測定方法であって、
直流の電源電圧を前記無線機に供給する電源電圧供給ステップ（Ｓ１２）と、
前記プレストーク信号を前記無線機に出力するプレストーク信号出力ステップ（Ｓ１８）と、
前記無線機から音声周波数信号の成分を含む無線周波数信号を入力し、この無線周波数信号に基づいて前記無線機の所定の電気特性を測定する電気特性測定ステップ（Ｓ１５、Ｓ１９、Ｓ２３）と、
前記プレストーク信号により前記受信状態と前記送信状態とが切り替わる時点をトリガに前記電源電圧及び前記所定の電気特性の時間的変動を示すデータを表示する表示ステップ（Ｓ１６、Ｓ２０、Ｓ２４）と、
を含むことを特徴とする測定方法。
【発明の詳細な説明】
【技術分野】
【０００１】
本発明は、プレストーク方式の無線機の電気特性を測定する測定装置及び測定方法に関する。
【背景技術】
【０００２】
プレストーク方式の無線機は、ＰＴＴ（プレストーク）スイッチを備え、このＰＴＴスイッチが押し下げ状態にされたときにプレストーク信号をオンにして送信状態に設定し、ＰＴＴスイッチの押し下げ状態が解除されたときにプレストーク信号をオフにして受信状態に設定するようになっている。
【０００３】
従来、この種の無線機の電気特性を測定する装置としては、特許文献１記載のパーソナル無線機試験装置が知られている。
【０００４】
特許文献１記載のものは、パーソナル無線機のＰＴＴスイッチを操作する操作機構を備え、ＰＴＴスイッチを操作した際に送出されるバースト状の制御信号に基づいて、発呼試験や着呼試験を行う構成となっている。
【先行技術文献】
【特許文献】
【０００５】
【特許文献１】特開昭６３−５９２３１号公報
【発明の概要】
【発明が解決しようとする課題】
【０００６】
ところで、プレストーク方式の無線機では、プレストーク信号により受信状態と送信状態とが相互に切り替わる時点で、無線機に供給されている直流の電源電圧が変動することが知られており、その変動に伴う電気特性の変動を確認できるものが求められていた。
【０００７】
しかしながら、特許文献１記載のものは、プレストーク信号により受信状態と送信状態とが相互に切り替わる時点をトリガに電気特性の変動を確認できないという課題があった。
【０００８】
本発明は、従来の課題を解決するためになされたものであり、プレストーク信号により受信状態と送信状態とが相互に切り替わる時点をトリガに電気特性の変動を確認することができる測定装置及び測定方法を提供することを目的とする。
【課題を解決するための手段】
【０００９】
本発明の請求項１に係る測定装置は、プレストーク信号により受信状態と送信状態とが相互に切り替わる無線機の電気特性を測定する測定装置であって、直流の電源電圧を前記無線機に供給する電源電圧供給手段と、前記プレストーク信号を前記無線機に出力するプレストーク信号出力手段と、前記無線機から音声周波数信号の成分を含む無線周波数信号を入力し、この無線周波数信号に基づいて前記無線機の所定の電気特性を測定する電気特性測定手段と、前記プレストーク信号により前記受信状態と前記送信状態とが切り替わる時点をトリガに前記電源電圧及び前記所定の電気特性の時間的変動を示すデータを表示する表示手段と、を備えた構成を有している。
【００１０】
この構成により、本発明の請求項１に係る測定装置は、プレストーク信号により受信状態と送信状態とが切り替わる時点をトリガに電源電圧及び所定の電気特性の時間的変動を示すデータを表示する表示手段を備えるので、プレストーク信号により受信状態と送信状態とが相互に切り替わる時点をトリガに電気特性の変動を確認することができる。
【００１１】
本発明の請求項２に係る測定装置は、前記電気特性測定手段は、前記所定の電気特性として、前記無線周波数信号の電力特性及び周波数特性、前記音声周波数信号の信号レベル特性、信号対雑音比及び周波数偏移特性のうちの少なくともいずれか１つを測定するものであることが好ましい。
【００１２】
本発明の請求項３に係る測定装置は、前記電源電圧供給手段は、前記電源電圧を所定のステップで変化させて前記無線機に供給するものであり、前記電気特性測定手段は、前記電源電圧の所定のステップごとに前記無線機の所定の電気特性を測定するものである構成を有している。
【００１３】
この構成により、本発明の請求項３に係る測定装置は、所定のステップで変化させた電源電圧ごとに電気特性の合否を判定すれば、極めて効率的に無線機メーカでの設計検証を効率的に行うことができる。
【００１４】
本発明の請求項４に係る測定装置は、前記表示手段は、前記電源電圧及び前記所定の電気特性の時間的変動を示すデータに加えて、前記所定の電気特性に関して予め定められたしきい値の範囲を表示するものである構成を有している。
【００１５】
この構成により、本発明の請求項４に係る測定装置は、電気特性の測定値がしきい値で示した許容範囲内にあるか否かを測定者に提示することができる。
【００１６】
本発明の請求項５に係る測定装置は、複数の無線機に対する前記所定の電気特性の統計情報を求める統計処理手段（２６）をさらに備え、前記表示手段は、前記統計情報を表示するものである構成を有している。
【００１７】
この構成により、本発明の請求項５に係る測定装置は、統計情報により被測定品のバラツキやデータの傾向を測定者に把握させることが可能となる。
【００１８】
本発明の請求項６に係る測定方法は、プレストーク信号により受信状態と送信状態とが相互に切り替わる無線機（１）の電気特性を測定する測定方法であって、直流の電源電圧を前記無線機に供給する電源電圧供給ステップ（Ｓ１２）と、前記プレストーク信号を前記無線機に出力するプレストーク信号出力ステップ（Ｓ１８）と、前記無線機から音声周波数信号の成分を含む無線周波数信号を入力し、この無線周波数信号に基づいて前記無線機の所定の電気特性を測定する電気特性測定ステップ（Ｓ１５、Ｓ１９、Ｓ２３）と、前記プレストーク信号により前記受信状態と前記送信状態とが切り替わる時点をトリガに前記電源電圧及び前記所定の電気特性の時間的変動を示すデータを表示する表示ステップ（Ｓ１６、Ｓ２０、Ｓ２４）と、を含む構成を有している。
【００１９】
この構成により、本発明の請求項６に係る測定方法は、プレストーク信号により受信状態と送信状態とが切り替わる時点をトリガに電源電圧及び所定の電気特性の時間的変動を示すデータを表示するので、プレストーク信号により受信状態と送信状態とが相互に切り替わる時点をトリガに電気特性の変動を確認することができる。
【発明の効果】
【００２０】
本発明は、プレストーク信号により受信状態と送信状態とが相互に切り替わる時点をトリガに電気特性の変動を確認することができるという効果を有する測定装置及び測定方法を提供することができるものである。
【図面の簡単な説明】
【００２１】
【図１】本発明に係る測定装置の一実施形態におけるブロック構成図である。
【図２】本発明に係る測定装置の一実施形態において、プレストーク信号がオンにされた場合のＲＦ信号の送信電力と、ＡＦ信号の信号レベルと、電源電圧の測定結果と、を模式的に示した図である。
【図３】本発明に係る測定装置の一実施形態において、プレストーク信号がオフにされた場合のＲＦ信号の送信電力と、ＡＦ信号の信号レベルと、電源電圧の測定結果と、を模式的に示した図である。
【図４】本発明に係る測定装置の一実施形態において、プレストーク信号がオンにされた場合のＲＦ信号の周波数と、電源電圧の測定結果と、を模式的に示した図である。
【図５】本発明に係る測定装置の一実施形態において、プレストーク信号がオンにされた場合のＲＦ信号の周波数偏移と、電源電圧の測定結果と、を模式的に示した図である。
【図６】本発明に係る測定装置の一実施形態において、プレストーク信号がオンにされた場合のＡＦ信号のＳＮ比と、電源電圧の測定結果と、を模式的に示した図である。
【図７】本発明に係る測定装置の一実施形態において、プレストーク信号がオンにされた場合のＡＦ信号の周波数応答と、電源電圧の測定結果と、を模式的に示した図である。
【図８】本発明に係る測定装置の一実施形態におけるフローチャートである。
【発明を実施するための形態】
【００２２】
以下、本発明の実施形態について図面を用いて説明する。なお、本発明の測定装置をアナログ信号ＦＭ方式の無線機の電気特性を測定するものに適用した例を挙げて説明するが、本発明はこれに限定されない。
【００２３】
まず、本発明に係る測定装置の一実施形態における構成について説明する。
【００２４】
図１に示すように、本実施形態における測定装置１０は、操作部１１、設定制御部１２、測定処理装置２０を備えている。測定処理装置２０は、信号発生部２１、電気特性測定部２２、電源電圧出力部２３、ＰＴＴ信号出力部２４、測定データ記憶部２５、測定データ解析部２６、表示部２７を備えている。この測定装置１０は、アナログ信号ＦＭ方式の無線機であるＤＵＴ１の電気特性を測定するものである。
【００２５】
測定装置１０は、図示しないＣＰＵ（Central Processing Unit）と、ＲＯＭ（Read Only Memory）と、ＲＡＭ（Random Access Memory）と、各種インタフェースが接続される入出力回路等を備えたマイクロコンピュータを含む。測定装置１０は、ＲＯＭに予め格納された制御プログラムを実行させることにより、マイクロコンピュータを、操作部１１、設定制御部１２、測定処理装置２０の機能部として機能させるようになっている。
【００２６】
ＤＵＴ１は、直流の電源電圧が供給される電源端子１ａ、プレストーク信号を入力するＰＴＴ信号入力端子１ｂ、オーディオ周波数のＡＦ信号（音声周波数信号）を入力する音声信号入力端子１ｃ、入力信号をＦＭ変調してＲＦ信号（無線周波数信号）に変換して出力する出力端子１ｄを備えている。
【００２７】
操作部１１は、キーボード、ダイヤル又はマウスのような入力デバイス、測定条件等を表示するディスプレイ、これらを制御する制御回路やソフトウェア等で構成され、各測定条件の入力や、プレストーク信号をＰＴＴ信号出力部２４に出力させるコマンドの送出、表示部２７の表示内容の設定等を行うため、測定者が操作するものである。
【００２８】
設定制御部１２は、操作部１１によって入力された各種情報を測定処理装置２０の各部に設定するようになっている。
【００２９】
信号発生部２１は、例えば１ｋＨｚのＡＦ信号を発生し、これを試験信号としてＤＵＴ１の音声信号入力端子１ｃに出力するようになっている。ここで、ＤＵＴ１は、入力したＡＦ信号の振幅に応じて搬送波の周波数を変化させるＦＭ変調を行い、所定周波数のＲＦ信号に変換し、電気特性測定部２２に出力する。すなわち、ＤＵＴ１が出力するＲＦ信号は、ＡＦ信号の成分を含む。
【００３０】
電気特性測定部２２は、図示を省略したが、ＤＵＴ１の出力端子１ｄから入力したＲＦ信号をＩＦ(Intermediate Frequency：中間周波数)信号にダウンコンバートする受信部と、ＩＦ信号をＢＢ(Base Band：ベースバンド)信号に変換する周波数変換部と、ＢＢ信号に変換したＦＭ変調信号をＦＭ復調するＦＭ復調部と、を備えている。この電気特性測定部２２は、電気特性測定手段を構成する。
【００３１】
また、電気特性測定部２２は、ＰＴＴ信号出力部２４からプレストーク信号を入力するようになっている。また、電気特性測定部２２は、電源電圧出力部２３から電源電圧を入力し、ＤＵＴ１に供給される直流電圧の変動をモニタできるようになっている。なお、電気特性測定部２２は、例えばシグナルアナライザで実現されるものである。
【００３２】
前述の構成において、電気特性測定部２２は、ＤＵＴ１からＡＦ信号の成分を含むＲＦ信号を入力し、このＲＦ信号に基づいてＤＵＴ１の所定の電気特性を測定するようになっている。ここで、所定の電気特性は、例えば、ＲＦ信号の電力特性及び周波数特性、ＡＦ信号の信号レベル特性、信号対雑音比（ＳＮ比）及び周波数偏移特性のうちの少なくともいずれか１つである。
【００３３】
また、電気特性測定部２２は、ＰＴＴ信号出力部２４から入力したプレストーク信号により受信状態と送信状態とが切り替わる時点をトリガに、電源電圧出力部２３から入力する電源電圧と所定の電気特性との時間的変動を示すデータを時間的に同期させて取得するようになっている。
【００３４】
電源電圧出力部２３は、所定電圧の直流の電源電圧をＤＵＴ１の電源端子１ａ及び電気特性測定部２２に出力するようになっている。なお、電源電圧出力部２３は、電源電圧供給手段を構成する。
【００３５】
この電源電圧出力部２３は、例えば、１２．０Ｖ〜１５．０Ｖの範囲で出力電圧を任意に設定できるものであるのが好ましい。なお、電源電圧出力部２３として、実使用でＤＵＴ１と組み合わせて使用される電源を用いてもよい。具体的には、ＤＵＴ１が車載型であれば車載用のバッテリ、携帯型であれば高出力用の高電圧バッテリパック（例えば１２．０Ｖ出力）や標準出力用の標準電圧バッテリパック（例えば７．２Ｖ出力）等を電源電圧出力部２３として用いてもよい。
【００３６】
ＰＴＴ信号出力部２４は、測定者が操作部１１を操作して所定のコマンドを入力したタイミングに基づいて、ＤＵＴ１のＰＴＴ信号入力端子１ｂ及び電気特性測定部２２に出力するプレストーク信号オン又はオフに設定するようになっている。このＰＴＴ信号出力部２４は、プレストーク信号出力手段を構成する。なお、ＤＵＴ１が、押すことにより送信モードとなり、離すことにより受信モードとなる動作を切り換えるＰＴＴスイッチを備え、ＰＴＴ信号出力部２４が、ＤＵＴ１のＰＴＴスイッチに代わるＰＴＴスイッチを有し、このＰＴＴスイッチをオンにするとＤＵＴ１が送信状態に設定され、オフにするとＤＵＴ１が受信状態に設定されるよう構成してもよい。
【００３７】
測定データ記憶部２５は、例えばメインメモリ等の主記憶装置で構成され、電気特性測定部２２の測定結果のデータを記憶するようになっている。
【００３８】
測定データ解析部２６は、測定者が操作部１１を操作して指示した電気特性の測定データを測定データ記憶部２５から読み出し、該当する電気特性の統計情報を求めて表示部２７に表示させることができるようになっている。具体的には、測定データ解析部２６は、ＤＵＴ１の個体を識別する製造番号やロット番号と、測定データとを紐付けておいて、これらの測定データを統計用アプリケーションで閲覧できる構成を有する。この構成により、特に無線機メーカの管理者が統計データとしてバラツキやデータの傾向を把握することが可能となる。また、そのバラツキやデータの傾向が部品に依存するものであれば部品メーカへのフィードバックができ、また無線機メーカでの調整の効率化、設計の改善を図ることが可能となる。なお、測定データ解析部２６は、統計処理手段を構成する。
【００３９】
表示部２７は、測定者が操作部１１を操作して指示した電気特性の測定データを測定データ記憶部２５から読み出し、測定結果を画面に表示するようになっている。また、表示部２７は、測定データ解析部２６が求めた統計情報を表示するようになっている。この表示部２７は、表示手段を構成する。
【００４０】
次に、電気特性測定部２２が測定して表示部２７の画面に表示される電気特性のデータについて図２〜図７を用いて説明する。図２〜図７は、表示部２７が表示する各電気特性のグラフであって、プレストーク信号により受信状態と送信状態とが切り替わる時点をトリガに各電気特性の波形データを模式的に示した図である。
【００４１】
図２は、プレストーク信号により受信状態から送信状態に切り替わる状況において、ＤＵＴ１が出力するＲＦ信号の送信電力（ＲＦ信号パワーと図示）と、そのＲＦ信号を復調して得られたＡＦ信号の信号レベル（ＡＦ信号レベルと図示）と、ＤＵＴ１に供給される電源電圧の測定結果と、を模式的に示したものである。
【００４２】
図２に示すように、時刻ｔ１においてＤＵＴ１に対する電源電圧の供給が開始されている。その後、時刻ｔ２においてプレストーク信号がオンにされている。すなわち、時刻ｔ２以前はＤＵＴ１が受信状態、時刻ｔ２以降はＤＵＴ１が送信状態にあり、時刻ｔ２が受信状態と送信状態とが切り替わる時点であって、この時刻ｔ２の時点をトリガに、時刻ｔ２以前及び以後における各電気特性の波形データが示されている。この時刻ｔ２以降では、電源電圧が若干低下するとともに、ＲＦ信号の送信電力及びＡＦ信号の出力レベルが時間の経過とともに上昇していることが示されている。
【００４３】
また、図２において、Ｔ１及びＴ２は、それぞれ、ＲＦ信号の送信電力及びＡＦ信号の出力レベルの立ち上がり時間を示し、Ｖ１は電源電圧の低下電圧を示している。ここで、立ち上がり時間は、安定値の１０％から９０％までの時間で示したが、これに限定されない。立ち上がり時間や低下電圧については、電気特性測定部２２に算出させて、それにより求めた数値を表示部２７の画面に表示する構成とすることができる。なお、表示部２７が、立ち上がり時間や低下電圧のしきい値を水平ラインや垂直ラインで表示し、測定結果が許容範囲内にあるか否かを測定者が視覚的に判断できる構成としてもよい。
【００４４】
図３は、プレストーク信号により送信状態から受信状態に切り替わる状況において、ＤＵＴ１が出力するＲＦ信号の送信電力（ＲＦ信号パワーと図示）と、そのＲＦ信号を復調して得られたＡＦ信号の信号レベル（ＡＦ信号レベルと図示）と、ＤＵＴ１に供給される電源電圧の測定結果と、を模式的に示したものである。
【００４５】
図３に示すように、時刻ｔ３においてプレストーク信号がオフにされている。その後、時刻ｔ４においてＤＵＴ１に対する電源電圧の供給が停止されている。すなわち、時刻ｔ３以前はＤＵＴ１が送信状態、時刻ｔ３以降はＤＵＴ１が受信状態にあり、時刻ｔ３が受信状態と送信状態とが切り替わる時点であって、この時刻ｔ３の時点をトリガに、時刻ｔ３以前及び以後における各電気特性の波形データが示されている。この時刻ｔ３以降では、電源電圧が若干上昇するとともに、ＲＦ信号の送信電力及びＡＦ信号の出力レベルが時間の経過とともに下降していることが示されている。
【００４６】
また、図３において、Ｔ３及びＴ４は、それぞれ、ＲＦ信号の送信電力及びＡＦ信号の出力レベルの立ち下がり時間を示し、Ｖ２は電源電圧の上昇電圧を示している。ここで、立下がり時間は、安定値の９０％から１０％までの時間で示したが、これに限定されない。立ち下がり時間や上昇電圧については、電気特性測定部２２に算出させて、それにより求めた数値を表示部２７の画面に表示する構成とすることができる。なお、表示部２７が、立ち下がり時間や上昇電圧のしきい値を水平ラインや垂直ライン等で画面に表示し、測定結果が許容範囲内にあるか否かを測定者が視覚的に判断できる構成としてもよい。
【００４７】
図４は、プレストーク信号により受信状態から送信状態に切り替わる状況において、ＤＵＴ１が出力するＲＦ信号の周波数（ＲＦ信号周波数と図示）と、ＤＵＴ１に供給される電源電圧の測定結果と、を模式的に示したものである。
【００４８】
図４に示すように、時刻ｔ２においてプレストーク信号がオンにされると、ＲＦ信号周波数が、０Ｈｚで表した規格中心値（例えば１４０ＭＨｚ）を中心に変動しながら収束している。表示部２７の画面には図示のように上限のしきい値である＋５００Ｈｚと、下限のしきい値である−５００Ｈｚとが水平ラインで表示されているので、測定者は、電源電圧の低下電圧が確認できるとともに、ＲＦ信号周波数の測定値が規格内か否かを容易に把握することができる。
【００４９】
なお、図４に示した例に加えて、ＲＦ信号周波数が収束する時間を規定する時間方向のしきい値を例えば垂直ラインにより画面表示する構成とすれば、測定者は、ＲＦ信号周波数の収束時間の合否を容易に判定することが可能となる。また、電源電圧の低下電圧に対するしきい値を水平ラインで表示すれば、低下電圧の合否を容易に判定することが可能となる。
【００５０】
図５は、プレストーク信号により受信状態から送信状態に切り替わる状況において、ＤＵＴ１が出力するＲＦ信号の周波数偏移（ＲＦ信号周波数偏移と図示）と、ＤＵＴ１に供給される電源電圧の測定結果と、を模式的に示したものである。
【００５１】
図５に示すように、時刻ｔ２においてプレストーク信号がオンにされると、ＲＦ信号周波数偏移の値が変動しながら収束している。表示部２７の画面には図示のように上限のしきい値である±５．０ｋＨｚと、下限のしきい値である±４．０ｋＨｚとが水平ラインで表示されているので、測定者は、電源電圧の低下電圧が確認できるとともに、ＲＦ信号周波数偏移の測定値が規格内か否かを容易に把握することができる。
【００５２】
なお、図５に示した例に加えて、ＲＦ信号周波数偏移の測定値が収束する時間を規定する時間方向のしきい値を例えば垂直ラインにより画面表示する構成とすれば、測定者は、ＲＦ信号周波数偏移の収束時間の合否を容易に判定することが可能となる。
【００５３】
図６は、プレストーク信号により受信状態から送信状態に切り替わる状況において、ＤＵＴ１が出力するＲＦ信号に含まれるＡＦ信号のＳＮ比（ＡＦ信号Ｓ／Ｎと図示）と、ＤＵＴ１に供給される電源電圧の測定結果と、を模式的に示したものである。
【００５４】
図６に示すように、時刻ｔ２においてプレストーク信号がオンにされると、ＡＦ信号のＳＮ比の値が変動しながら収束している。表示部２７の画面には図示のようにしきい値である２０がカーソルで表示されているので、測定者は、電源電圧の低下電圧が確認できるとともに、ＡＦ信号のＳＮ比の測定値が規格内か否かを容易に把握することができる。
【００５５】
なお、図６に示した例に加えて、ＲＦ信号周波数偏移の測定値が収束する時間を規定する時間方向のしきい値を例えば垂直ラインにより画面表示する構成とすれば、測定者は、ＡＦ信号のＳＮ比の収束時間の合否を容易に判定することが可能となる。
【００５６】
図７は、プレストーク信号により受信状態から送信状態に切り替わる状況において、ＤＵＴ１が出力するＲＦ信号に含まれるＡＦ信号の周波数応答と、ＤＵＴ１に供給される電源電圧の測定結果と、を模式的に示したものである。
【００５７】
ここで、ＡＦ信号の周波数応答は、例えば、ＤＣ〜４ｋＨｚの信号成分を同レベルで含むホワイトノイズを信号発生部２１に発生させ、信号発生部２１が、このホワイトノイズをＤＵＴ１の音声信号入力端子１ｃに出力した場合に、ＤＵＴ１が出力するＲＦ信号を復調して得られたＡＦ信号の信号レベルをＬ１〜Ｌ５の範囲で示したものである。
【００５８】
図７に示すように、時刻ｔ２においてプレストーク信号がオンにされると、ＡＦ信号の信号レベルＬ１〜Ｌ５の各境界部分の周波数が変動しながら一定値に収束している。表示部２７の画面には図示のようにＡＦ信号の信号レベルＬ１〜Ｌ５が互いに異なるパターン（ハッチング、色、濃淡等）で表示されているので、測定者は、電源電圧の低下電圧が確認できるとともに、ＡＦ信号の周波数応答を容易に把握することができる。
【００５９】
なお、図７に示した例に加えて、ＡＦ信号の周波数応答が一定値に収束する時間を規定する時間方向のしきい値を例えば垂直ラインにより画面表示する構成とすれば、測定者は、ＡＦ信号の周波数応答の収束時間の合否を容易に判定することが可能となる。
【００６０】
また、図７に示した例は、ＡＦ信号の周波数応答を２次元のグラフで表したものであるが、ＡＦ信号の周波数応答を３次元（時間軸、ＡＦ信号の周波数軸、ＡＦ信号の信号レベル軸）のグラフで表し、さらに電源電圧の変動を示すグラフをＡＦ信号の周波数応答と時間的に同期させて表示させれば、ＡＦ信号の周波数応答の変動を測定者にさらにわかりやすく提示可能となる。
【００６１】
前述の説明のうち、図４〜図７にそれぞれ示した電気特性は、プレストーク信号のオンでの表示例であるが、プレストーク信号をオフとした場合の表示例は省略する。
【００６２】
次に、本実施形態における測定装置１０の動作について図８を用いて説明する。なお、測定開始時のプレストーク信号はオフであるとする。
【００６３】
設定制御部１２は、測定者が操作部１１を操作して入力した測定条件を測定処理装置２０の各部に設定する（ステップＳ１１）。例えば、設定制御部１２は、信号発生部２１が発生する試験信号の信号レベル及び信号周波数の設定、電源電圧出力部２３が出力する直流の電源電圧の電圧レベルの設定、電気特性測定部２２に測定させる測定項目の情報の設定、表示部２７の表示内容の指示等の情報を含む信号を測定処理装置２０の各部に送出する。
【００６４】
電源電圧出力部２３は、測定者が操作部１１を操作して設定した直流の電源電圧をＤＵＴ１及び電気特性測定部２２に出力する（ステップＳ１２）。
【００６５】
信号発生部２１は、測定者が操作部１１を操作して設定した信号レベル及び信号周波数を有するＡＦ信号をＤＵＴ１に出力する（ステップＳ１３）。
【００６６】
電気特性測定部２２は、ＤＵＴ１からＡＦ信号の信号成分を含むＲＦ信号を入力して復調し（ステップＳ１４）、ＡＦ信号の成分を取り出す。
【００６７】
電気特性測定部２２は、測定者が操作部１１を操作して設定した電気特性の測定を開始し、所定の時間間隔でデータを取得して測定データ記憶部２５に記憶する（ステップＳ１５）。
【００６８】
表示部２７は、操作部１１からの操作信号に従って、測定データ記憶部２５から所定の測定データを読み出して画面に表示する（ステップＳ１６）。
【００６９】
ＰＴＴ信号出力部２４は、プレストーク信号をオンにするコマンドを受信したか否かを判断する（ステップＳ１７）。ここで、電気特性測定部２２は、プレストーク信号をオンにするコマンドを受信したと判断しなかった場合は、ステップＳ１５に戻る。
【００７０】
一方、ＰＴＴ信号出力部２４は、ステップＳ１７において、プレストーク信号をオンにするコマンドを受信したと判断した場合は、プレストーク信号をＤＵＴ１に出力する（ステップＳ１８）。すなわち、プレストーク信号はオンになる。
【００７１】
電気特性測定部２２は、プレストーク信号のオン後における電気特性の測定を行い、所定の時間間隔でデータを取得して測定データ記憶部２５に記憶する（ステップＳ１９）。
【００７２】
表示部２７は、操作部１１からの操作信号に従って、測定データ記憶部２５から所定の測定データを読み出して画面に表示する（ステップＳ２０）。例えば、表示部２７は、図２に示した内容を画面に表示する。
【００７３】
ＰＴＴ信号出力部２４は、プレストーク信号をオフにするコマンドを受信したか否かを判断する（ステップＳ２１）。ここで、ＰＴＴ信号出力部２４は、プレストーク信号をオフにするコマンドを受信したと判断しなかった場合は、ステップＳ１９に戻る。
【００７４】
一方、ＰＴＴ信号出力部２４は、ステップＳ２１において、プレストーク信号をオフにするコマンドを受信したと判断した場合は、ＤＵＴ１に対するプレストーク信号の出力を停止する（ステップＳ２２）。すなわち、プレストーク信号はオフになる。
【００７５】
電気特性測定部２２は、プレストーク信号のオフ後における電気特性の測定を行い、所定の時間間隔でデータを取得して測定データ記憶部２５に記憶する（ステップＳ２３）。
【００７６】
表示部２７は、操作部１１からの操作信号に従って、測定データ記憶部２５から所定の測定データを読み出して画面に表示する（ステップＳ２４）。例えば、表示部２７は、図３に示した内容を画面に表示する。
【００７７】
測定データ解析部２６は、操作部１１からの操作信号に従って、測定データ記憶部２５に記憶された複数の測定データに対する所定の統計処理、例えば、図２においてＲＦ信号の送信電力及びＡＦ信号の信号レベルの立ち上がり時間のデータの平均値、分散、最大値、最小値等を求めて表示部２７に表示する（ステップＳ２５）。
【００７８】
以上のように、本実施形態における測定装置１０は、プレストーク信号により受信状態と送信状態とが切り替わる時点をトリガに電源電圧及び所定の電気特性の時間的変動を示すデータを表示する構成としたので、プレストーク信号により受信状態と送信状態とが相互に切り替わる時点をトリガに電気特性の変動を確認することができる。
【００７９】
その結果、本実施形態における測定装置１０は、無線機メーカでの開発、製造段階での試験や特性調整を効率的に進めることに資することができる。
【００８０】
また、本実施形態における測定装置１０は、ＤＵＴ１が車載型、携帯型にかかわらず好適に適用することができる。例えば、ＤＵＴ１が車載型の無線機であった場合、車の電源電圧は、エンジンの回転数に従って変動し、一般的には１２．０Ｖ〜１５．０Ｖ程度の変化がある。ＤＵＴ１が携帯型の場合は、バッテリの消耗による電圧変動や、装着しているバッテリパックによっても電源電圧が変動する。したがって、電源電圧の変動による無線機の送受信特性の変動が生じるが、本実施形態における測定装置１０は、送受信特性の変動が測定者の所望する範囲内にあるか否かを確認でき、無線機メーカでの設計検証が効率的となる。
【００８１】
また、電源電圧出力部２３が、電源電圧の変化を所定ステップで変化させて（例えば０．０１Ｖステップ）、電源電圧ごとに電気特性の合否を判定すれば、極めて効率的に無線機メーカでの設計検証が効率的となる。
【産業上の利用可能性】
【００８２】
以上のように、本発明に係る測定装置及び測定方法は、プレストーク信号により受信状態と送信状態とが相互に切り替わる時点をトリガに電気特性の変動を確認することができるという効果を有し、プレストーク方式の無線機の電気特性を測定する測定装置及び測定方法として有用である。
【符号の説明】
【００８３】
１  ＤＵＴ（無線機）
１０  測定装置
１１  操作部
１２  設定制御部
２０  測定処理装置
２１  信号発生部
２２  電気特性測定部（電気特性測定手段）
２３  電源電圧出力部（電源電圧供給手段）
２４  ＰＴＴ信号出力部（プレストーク信号出力手段）
２５  測定データ記憶部
２６  測定データ解析部（統計処理手段）
２７  表示部（表示手段）
【図１】
2016058910.tif 000003
【図２】
2016058910.tif 000004
【図３】
2016058910.tif 000005
【図４】
2016058910.tif 000006
【図５】
2016058910.tif 000007
【図６】
2016058910.tif 000008
【図７】
2016058910.tif 000009
【図８】
2016058910.tif 000010